(57)【特許請求の範囲】
【請求項１】
被除菌洗浄対象物の底面部に設けられたキャスター部分に付着された塵埃及び細菌類を、洗浄除去手段を介して除菌洗浄液と接触させることにより洗浄除去する工程を含有する除菌洗浄方法であって、
前記被除菌洗浄対象物が、キャスター付きトラベルバッグ類又はキャスター付き搬送物であり、
前記被除菌洗浄対象物の底面部に設けられたキャスター部分に付着された塵埃及び細菌類の洗浄除去工程と同時段階又は前段階若しくは後段階において、前記被除菌洗浄対象物を密閉室内に載置し、形成された密閉室内空間に、前記被除菌洗浄対象物全体を対象として殺菌剤を噴霧することからなる空間除菌工程をさらに設けることを特徴とする除菌洗浄方法。
【請求項２】
前記被除菌洗浄対象物に残留付着した前記除菌洗浄液の除去工程をさらに付加することを特徴とする請求項１に記載の除菌洗浄方法。
【請求項３】
前記洗浄除去工程において、前記洗浄除去手段として複数のパイル糸と該パイル糸間に充填された充填剤とからなる人工芝構造体を備えた回転キャタピラ構造体を用いる請求項１に記載の除菌洗浄方法。
【請求項４】
除菌洗浄装置本体と、
該除菌洗浄装置本体内に設けた洗浄除去手段と、
該洗浄除去手段と接触可能な位置に設けた被除菌洗浄対象物の載置可能なスペースと、
前記除菌洗浄装置本体内に備えられた空間除菌手段と、
前記除菌洗浄装置本体を密閉状態とする閉鎖手段とからなる除菌洗浄装置であって、
前記被除菌洗浄対象物が、キャスター付きトラベルバッグ類又はキャスター付き搬送物であり、
前記洗浄除去手段は、前記除菌洗浄装置本体底部に形成され、除菌洗浄液が貯留されるプール部と、
前記プール部内に設置された清掃機構と、
前記清掃機構により、前記除菌洗浄液を前記被除菌洗浄対象物の底面部に設けられたキャスター部分に接触させるために前記清掃機構を駆動させる駆動源と
からなり、
前記空間除菌手段は、前記除菌洗浄装置本体内部の壁面に穿孔され、前記除菌洗浄装置本体内部の空間部に殺菌剤をガス状で噴霧するために複数の位置に設けられた噴霧用ノズル及び前記ノズルに管により連結した殺菌剤貯蔵槽とを含有することを特徴とする除菌洗浄装置。
【請求項５】
前記清掃機構は、長手方向に離隔して配置された、少なくとも２個の駆動用ローラと、該駆動用ローラにより展張され、前記被除菌洗浄対象物の底面に設けられたキャスター部分と接触可能であり、前記キャスター部分に付着された塵埃及び細菌類の除去可能な回転キャタピラ構造体である請求項４に記載の除菌洗浄装置。
【請求項６】
前記回転キャタピラ構造体は、その表面に人工芝構造体が装着してなることを特徴とする請求項５に記載の除菌洗浄装置。
【発明の詳細な説明】
【技術分野】
【０００１】
本発明は、トラベルバッグ、スーツケース等のかばん類からなる被除菌洗浄対象物の除菌洗浄方法及び該除菌洗浄方法に用いられる除菌洗浄装置に関するものであり、さらに詳しくは、外国旅行者等のトラベルバッグ、スーツケース等のかばん類からなる被除菌洗浄対象物等の底面部分に付着した塵埃、泥等を洗浄除去すると共に、被除菌洗浄対象物全体の細菌、ウィルスを除菌するための除菌洗浄方法及び除菌洗浄装置に関するものである。
【背景技術】
【０００２】
近年、交通手段及び通信手段の著しい発達と共に政治、経済及び社会の構造が国際化され、国際交流が活発化している状況にある。また、現在、我が国においては観光政策に重点を置き、日本の歴史、文化を世界に広く紹介するため外国人との交流と共に外国からの来日観光客の増加を図っている。
かかる状況下において、旅行の際には内外を問わずトラベルバッグ及びスーツケース等のかばん類が多く使用されるが、かかるかばん類、特に、底面部にキャスターを取付けたかばん類の使用中には底面部分のキャスターに塵埃、泥等が付着することが多い。特に、トラベルバッグの底面部のキャスター部分には塵埃、泥等が多量に付着したままで、トラベルバッグは、そのまま室内に運び込まれることが多く、衛生上の問題が指摘されている。また、トラベルバッグ全体部にも細菌、ウィルス類が付着されていることも多い。
かかる細菌ウィルス類の除菌については、従来から空間除菌方法が提案されている。例えば、特開２００４−２７５５８２号公報（特許文献１）には、収納空間の上部、中部、下部で除菌ガスの濃度を均一化して除菌対象物を除菌できる除菌装置及びそれを用いた除菌室が記載されている。
また、実用新案登録第３０９１３７４号公報（特許文献２）には二酸化塩素溶液又は二酸化塩素を溶存させたゲル状固形物をロッカー内に配置し、二酸化塩素を気化させてロッカー内を除菌することが開示されている。
さらに、特開２０１５−９３８１１号公報（特許文献３）には、二酸化塩素を利用した簡易型の空間除菌方法及び空間除菌用具が開示されると共に、特開２０１１−１５２２３４号公報（特許文献４）には、二酸化塩素の不快臭を軽減するために二酸化塩素ガス発生剤と芳香剤を開口部を有する容器内に収納した二酸化塩素ガス発生臭が開示されている。
また、特開２０１０−１０４８６０号公報（特許文献５）には、洗浄対象物Ａが漬置き状に浸漬し、タンク内を気密状とし、その後、オゾンガスを微小気泡として、タンク内の水に噴出して混合し、オゾン水を生成させて最適の溶解オゾン濃度に調整したオゾン水内で洗浄対象物Ａの浸漬洗浄を行う方法が開示されている。
しかし、従来から、キャスター付きトラベルバッグの底面部に備えられたキャスター部分に付着した塵埃及び細菌類による問題点については一般的に認識が少なく、これらを取り除くことについても大半は無関心であった。従って、従来から、洗浄兼除菌溶液によってキャスター部分の塵埃及び細菌類を除去するような除菌洗浄方法及び除菌洗浄装置については開示がない。また、前記空間除菌方法及び空間除菌装置との組み合せについても開示がなく、さらに効率的な除菌洗浄方法及び除菌洗浄装置の開発が切望されてきた。
【先行技術文献】
【特許文献】
【０００３】
【特許文献１】特開２００４−２７５５８２号公報
【特許文献２】実用新案登録第３０９１３７４号公報
【特許文献３】特開２０１５−９３８１１号公報
【特許文献４】特開２０１１−１５２２３４号公報
【特許文献５】特開２０１０−１０４８６０号公報
【発明の概要】
【発明が解決しようとする課題】
【０００４】
従って、本発明の第一の課題は、トラベルバッグ、スーツケース等のかばん類からなる被除菌対象物には損傷を加えることなく、その底面部に付着した塵埃、泥及び細菌類を除菌洗浄液によって洗浄除去する除菌洗浄方法及び該除菌洗浄方法に用いられる除菌洗浄装置を提供することにある。
また、本発明の第二の課題は、被除菌洗浄対象物には損傷を加えることなく、底面部に付着した塵埃、泥及び細菌類を除菌洗浄液によって、洗浄除去すると共に、前記被除菌洗浄対象物の全体部に付着された細菌類及びウィルス等の除菌方法が付加された除菌洗浄方法及び該除菌洗浄方法に用いられる除菌洗浄装置を提供することにある。
【課題を解決するための手段】
【０００５】
そこで、本発明者は、前記の本発明の課題を解決するため、鋭意検討を重ねた結果、第一の課題については、被除菌洗浄対象物の底面部に付着した塵埃、泥等に対し、前記被除菌洗浄対象物の底面部に接触し、前記塵埃、泥等の除去可能な「洗浄除去手段」を介して除菌洗浄液を前記被除菌洗浄対象物の底面部に供給することからなる除菌洗浄方法及び前記除菌洗浄方法に用いられる除菌洗浄手段を備えた除菌洗浄装置を提供することにより、本発明の前記課題を解決できることに着目し、かかる知見に基いて本発明に想到するに至った。
【０００６】
また、第二の課題に対しては、被除菌洗浄対象物の底面部に付着された塵埃、泥及び細菌類に対し、洗浄除去手段を介して除菌洗浄液を接触させることからなる除菌洗浄方法と共に、被除菌洗浄対象物の全体に付着された細菌ウィルス等に対しては空間除菌手段を用いて除菌する方法及び該除菌方法に用いられる除菌洗浄装置、例えば、前記の除菌洗浄装置の内部に空間除菌手段を付加することにより、前記の洗浄除去と空間除菌をシステマティックに実施することにより解決できることに着目し、かかる知見に基いて本発明に到達した。
【０００７】
すなわち、本発明によれば、特に、外国からのトラベルバッグ使用者に対し、「除菌でおもてなし」を提供するものであり、また、本発明に係る除菌洗浄装置は、外国の生活様式において、普及することが期待されると共に国内における清潔な生活環境の実現に寄与せんとするものである。
【０００８】
かくして、本発明の要旨は、次の（１）〜（１０）に示す通りである。
（１）  被除菌洗浄対象物の底面部に付着した塵埃及び細菌類を、洗浄除去手段を介して除菌洗浄液と接触させることにより除去する工程を含有することを特徴とする除菌洗浄方法。
【０００９】
（２）  前記被除菌洗浄対象物が、キャスター付きバック類又は搬送物である前記（１）に記載の除菌洗浄方法。
【００１０】
（３）  前記被除菌洗浄対象物の底面部に付着された塵埃及び細菌類の除去工程の前段階又は後段階において、前記被除菌洗浄対象物全体を対象に殺菌剤を噴霧することからなる空間除菌工程をさらに設けることを特徴とする前記（１）に記載の除菌洗浄方法。
【００１１】
（４）前記被除菌洗浄対象物に残留付着した除菌洗浄液の除去工程をさらに付加したことを特徴とする前記（１）ないし（３）のいずれか一項に記載の除去洗浄方法。
【００１２】
（５）前記洗浄除去手段が、回転ブラシ又は回転人工芝である前記（１）に記載の除菌洗浄方法。
【００１３】
（６）除菌洗浄装置本体と、該除菌洗浄装置本体内に設けた洗浄除去手段と、該洗浄除菌手段と接触可能な位置に設けた被除菌洗浄対象物の載置可能なスペースと、前記除菌洗浄装置本体を密閉状態とする閉鎖手段とからなる除菌洗浄装置であって、
前記洗浄除去手段は、前記除菌洗浄装置本体底部に形成され、除菌洗浄液が貯留されるプール部と、前記プール部内に設置された、清掃機構とからなり、
前記清掃機構を前記被除菌洗浄対象物に接触させるために駆動させる駆動源とからなることを特徴とする除菌洗浄装置。
【００１４】
（７）前記除菌洗浄装置本体内部に殺菌剤を噴霧するために空間除菌手段を備えてなる前記（６）に記載の除菌洗浄装置。
【００１５】
（８）前記清掃機構は、長手方向に離隔して配置された、少なくとも２個の駆動用ローラと、該駆動用ローラにより展張され、前記被除菌洗浄対象物の底面部と接触可能な回転ベルト構造体又は回転キャタピラ構造体であることを特徴とする前記（６）に記載の除菌洗浄装置。
【００１６】
（９）前記回転ベルト構造体又は回転キャタピラ構造体は、その表面にブラシユニット又は人工芝構造体が装着してなることを特徴とする前記（６）に記載の除菌洗浄装置。
【００１７】
（１０）前記空間除菌手段は、前記除菌洗浄装置本体内部の壁面に穿孔され前記除菌洗浄装置本体内部に殺菌剤を噴霧するための噴霧用ノズル及び前記ノズルに連結した殺菌剤貯蔵槽とを含有することを特徴とする前記（６）に記載の除菌洗浄装置。
【発明の効果】
【００１８】
本発明は、前記の通りの構成からなるものであり、第一の課題に対し、被除菌洗浄対象物の底面部に対し、洗浄除去手段を用いて除菌洗浄液を供給することにより被除菌洗浄対象物に損傷を加えることなく、前記被除菌洗浄対象物の底面部、特にかばん類のキャスター部分に付着した塵埃、細菌類を効率よく、極めて短時間の間に除去することができる。
また、第二の課題に対しても、被除菌洗浄対象物としてのかばん類の底面部に付着された塵埃、泥及び細菌類を短時間で除去でき、かつ、かばん類底面部のほか前記かばん類全体を空間除菌処理に供することにより、かばん類に付着した細菌・ウィルス類を除菌することができる。
【発明を実施するための形態】
【００１９】
次に、本発明に係る除菌洗浄方法および除菌洗浄装置の好ましい実施形態について詳細に説明する。もっとも、本発明は、以下の好ましい実施形態に限定されるものではなく、本発明の範囲内で任意に変更することができるものである。
【００２０】
１.除菌洗浄方法
本発明に係る除菌洗浄方法は、洗浄除去手段を用いることにより除菌洗浄液を被除菌洗浄対象物の底面部に接触させ、前記底面部に付着した塵埃、泥、細菌類を洗浄除去することを内容とするものである。
本発明に係る除菌洗浄方法において、被除菌洗浄対象物は、トラベルバッグ、スーツケース等のかばん類を対象とするものであるが、特に限定されるものではなく、日常生活において除菌洗浄の必要なものであって、除菌洗浄液による洗浄に耐え得るものであれば如何なるものでも対象とすることができる。
本発明に係る除菌洗浄方法における洗浄除去手段としては、被除菌洗浄対象物の底面部との接触可能であり、塵埃、泥及び細菌等をはぎ取る作用を有し、かつ、除菌洗浄液をプール部から搬送し、被除菌洗浄対象物の底面部に供給可能な部材である。具体的には回転ブラシ又は回転人工芝を挙げることができる。回転ブラシ及び回転人工芝の構造等については後述の回転ブラシ構造体及び回転人工芝構造体の説明の箇所で説明する。
本発明に係る除菌洗浄方法において、回転ブラシ及び回転人工芝は、被除菌洗浄対象物の下方において、回転駆動による横方向に走行することにより連続的に被除菌洗浄対象物底面部の洗浄除去処理を行い、付着物の除去に供される。回転ブラシ及び回転人工芝の回転速度、除菌洗浄液の温度、底面部に接触させる除菌洗浄液の液量等の洗浄処理の条件は、被除菌洗浄対象物の底面部に付着された塵埃、泥等の量により変動するが、所定の時間内に洗浄化されるように適宜調整することができるが、洗浄処理時間として５分から２０分程度になるように調整すればよい。
本発明に係る除菌洗浄方法によれば、被除菌洗浄対象物底面部に、前記回転ブラシ又は回転人工芝の先端部を接触させると共に、回転に伴ない、下部のプール部の除菌洗浄液を回転ブラシ及び回転人工芝が吸収後、底面部との接触の際、放出し、底面部に供給する。かかる除菌洗浄液の供給により前面部に固着された塵埃、泥等は軟質化され、回転ブラシ又は回転人工芝によりはぎ取られることにより被除菌洗浄対象から除去される。
回転ベルト構造体又は回転キャタピラ構造体の上部に設けた載置スペースに被除菌洗浄対象物を載置し、前記回転ベルト構造体又は回転キャタピラ構造体を駆動させ、下側面で除菌洗浄液を吸収し、上側面を被除菌洗浄対象物の底面部に接触させることにより、除菌洗浄液を供給すると共に回転ベルト構造体又は回転キャタピラ構造体のブラシユニット又は人工芝構造体の各々の先端部により塵埃・泥等を除去することができる。
【００２１】
また、本発明に係る除菌洗浄方法において、被除菌洗浄対象物底面部の塵埃・泥等の除去と共に、被除菌洗浄対象物全体に対し、空間除菌手段を用いて、殺菌剤を噴霧することにより除菌処理をすることができる。
空間除菌方法は、被除菌洗浄対象物を密閉室内に載置し、密閉室内空間に殺菌剤を噴霧することにより行うことができる。殺菌剤の噴霧量は、付着された細菌類の種類によるが、空間全容量ベースで細菌類の致死量の添加でよい。また、殺菌剤の噴霧は、殺菌剤の圧入容器から解放することにより得られるが、殺菌剤の溶液中に気体を通過させることにより発生するミストを使用することもできる。殺菌剤としては、空間除菌に適する性状のものであれば、特に制限されるものではない。
【００２２】
本発明に係る除菌洗浄方法のさらに好ましい形態は次の通りである。
（１）被除菌洗浄対象物の底面に付着した塵埃及び細菌類を移動ブラシを介して前記除菌洗浄対象物の載置位置の下部に設置されたプールに貯留された除菌洗浄液により除去する工程と
（２）前記工程により洗浄された被除菌洗浄対象物の底面部に残留する洗浄剤等の液体の除去工程とからなることを特徴とする除菌洗浄方法。
残留した洗浄剤等の液体の除去は、乾燥処理、気体吹き付けによる蒸発処理及び清拭等により行われる。また、除菌洗浄液は使用により劣化し、不純物が増加することから定期的にバッチ式又は連続式により新除菌洗浄液と交換される。
本発明に係る除菌洗浄方法において、さらに具体的なステップとしては、次の工程−１〜工程−３を挙げることができる。
工程−１
１.トラベルバッグキャスターの汚れの除去
２.除菌洗浄液でトラベルバッグ底面部の洗浄・消毒
３.水洗いによるキャスター内部の汚れの洗浄除去
工程−２
トラベルバッグ全体を対象に殺菌剤の噴霧
工程−３
清拭タオルによるトラベルバッグ全体の拭き取り
【００２３】
２.除菌洗浄装置
本発明に係る除菌洗浄装置は、除菌洗浄装置本体と該装置本体内に設けた洗浄除去手段と、該洗浄除去手段と接触可能な位置に設けた被除菌洗浄対象物の載置可能なスペースと、前記装置本体を密閉状態とする前扇から構成されたものである。前記洗浄除去手段は、装置本体底部に形成されたプール部と、該プール部内に貯留された除菌洗浄液中に浸漬状態で設置された清掃機構とから構成されるものである。
以下、本発明に係る除菌洗浄装置の各構成要素にいて説明する。
【００２４】
＜洗浄除去手段＞
洗浄除去手段は、
（１）除菌洗浄装置本体の底部に形成されたプール部と、
（２）プール部内に設置された清掃機構と、
（３）清掃機構を駆動させる駆動源
から構成される。
プール部には、除菌洗浄液が貯留される。除菌洗浄液としては、特に限定されるものではなく、市場で得られるものを任意に選択して用いることができる。
前記プール部には、劣化した除菌洗浄液と新規な除菌洗浄液との入れ替えのために排水バルブが設置される。また、除菌洗浄液の劣化度を判定して、その交換を自動的に行うこともできる。
前記清掃機構は、次に説明する回転ベルト構造体及び回転キャタピラ構造体の群から選択してもよい。
【００２５】
・回転ベルト構造体
回転ベルト構造体は、少なくとも二つの駆動ローラと、該二つの駆動ローラにより展張された回転ベルトからなるものである。
回転ベルトは、ベルト本体の背面にブラシ材を直接植毛したもの（以下、「ブラシ付きベルト」という。）又はベルト本体の背面に、ブラシ材をシート材料に植毛して作製したシート（以下、「ブラシ植毛シート」という。）を貼り付けたもの（以下、「ブラシユニット付きベルト」という。）を用いることができる。ブラシ植毛シートは、ベルト本体に着脱自在に装着したものである。ブラシ植毛シートのベルト本体への装着は面ファスナーその他の結合手段を利用して行うことができる。
要するに、回転ベルトは、ベルトの背面にブラシユニットが装着されて形成されたものである。
前記回転ベルトは、布製又はプラスチック製のものでよく、前記二ケの駆動ローラーによって、回転駆動し、前記ブラシの先端部がトラベルバッグの底面部に押しあてられ、塵埃・泥等を除去する。
前記回転ベルトの駆動ローラーとの接触面には、爪部又は歯部を設けてもよく、これにより駆動ローラーとのスリップを防止することができる。
【００２６】
・回転キャタピラ構造体
回転キャタピラ構造体は、二つの駆動ローラーと、駆動ローラーにより回転駆動をするキャタピラと、キャタピラの背面上に装着されたブラシ若しくはブラシユニット又は人工芝構造体とから構成されたものである。
人工芝構造体は、複数のパイル糸を基布に対して適宜の方法でタフティングしたもの又は複数のパイルと、該パイル間に他の樹脂材料等からなる充填剤を充填してなるものであり、パイルの先端部で塵埃等の除去を行う。かかる充填剤は、吸水性樹脂等の吸水性材料からなるものであり、除菌洗浄装置本体のプール部で吸収した除菌洗浄液を放出して洗浄することができる。
人工芝のパイル糸の素材としては、本発明の目的から硬質のものが好ましく、例えば、ポリオレフィン系又はポリアミド系パイル糸等を選択することができる。
【００２７】
・載置スペース
本発明に係る除菌洗浄装置における載置スペースは、後述の図１，２，３及び５等で示すように、被除菌洗浄対象物をその底面部に清掃機構の回転ベルト構造体又は回転キャタピラ構造体のブラシ又は人工芝構造体のパイルの先端部が押しあてられるようにプール部からの高さを調整可能な縦横棒体からなるものである。かかる載置スペースの高さの位置は、被除菌洗浄対象物の種類により調整される。
【００２８】
＜空間除菌手段＞
本発明に係る除菌洗浄装置の空間除菌手段は、
除菌洗浄装置本体の空間部と、
該除菌洗浄装置本体の空間部の内壁面に穿孔形成された少なくとも一つの孔部に設けた少なくとも一つ噴霧ノズルと、
噴霧ノズルに殺菌剤を供給する貯槽から構成されるものである。
本発明に係る除菌洗浄装置の空間除菌手段は、前記の構成からなり、除菌洗浄装置空間部の複数の位置に、噴霧ノズルを設ける孔部を穿孔することが、殺菌剤の均一濃度を維持する上で好ましい。
【実施例】
【００２９】
以下、本発明の実施形態について、図１〜図９に基いて説明する。
図１は、本発明に係る除菌洗浄装置１の正面図であり、図２は平面図、図３は右側面図、図４は左側面図である。図１に示すように除菌洗浄装置１は、除菌洗浄装置本体（以下、「装置本体」という。）１０と除菌洗浄装置付属部（以下、「付属部」という。）２０とから構成される。
装置本体１０の内部１０１の下部には凹槽の形態のプール部１０２が設けられ、プール部１０２には除菌洗浄液 Ｂが貯留される。プール部１０２には、除菌洗浄液Ｂの充填量を調整することにより、清掃機構１０３が、その下半分が除菌洗浄液Ｂに浸漬されるように設置される。
【００３０】
清掃機構１０３は、駆動ローラ１０３１、１０３１´と、駆動ローラサポート部１０３３、駆動ローラ軸、ベルト支持体１０３４、回転ベルト１０３２、１０３２´から構成される。
【００３１】
また、トラベルバッグＡの載置スペースとして横棒１０３４、縦棒１０３５が示される。
清掃機構１０３は、可変式モーター１０４３の動力を回転軸１０４２を介して動力伝達ギヤ１０４１を経て回転ローラ１０３１´に伝達され、駆動する。回転速度は、スピードコントローラー１０４４により調節される。駆動ローラーの回転により人工芝を装着した回転ベルト１０３２が横方向へ移動し、上方に載置したトラベルバッグＡの底面部のキャスター部に人工芝のパイルが接触し、付着物を除去する。除菌洗浄液Ｂに浸漬した回転ベルトの下片面が除菌洗浄液Ｂを吸収し、上方へ移動すると共に、トラベルバッグ底面のキャスター部分に供給し、キャスター部分の奥に付着した泥・埃・一般細菌を洗浄しながら除去することができる。
【００３２】
洗浄除去に使用された除菌洗浄液Ｂは、排水バルブ３０を開放し取り出し新洗浄液と交換するか又は、自動交換装置を排水バルブ３０に結合すれば、自動的に除菌洗浄液を再生することができる。
本発明に係る除菌洗浄操作はトラベルバッグＡの底面部の除菌洗浄操作は、５分〜２０分程度で完了することができる。
また、本発明に係る除菌洗浄装置１には空間除菌手段が備えられたものである。空間除菌手段は、除菌洗浄装置付属部２０に設置した貯槽２０１と、貯槽２０１に貯留した殺菌剤Ｃを装置本体１０内に噴霧するために装置本体１０の内壁面に穿孔形成された噴霧ノズルからなる。
【００３３】
図５は、本発明に係る除菌洗浄装置１の装置本体１０の前扇を開放した状態の斜視図である。図５によれば、清掃機構１０３の上部に設けた縦横棒からなるトラベルバッグＡの載置スペースを観察することができる。
【００３４】
図６は、本発明に係る除菌洗浄装置１の装置本体１０内部の載置スペース上にトラベルバッグＡが２個載置された状態を示す斜視図である。
【００３５】
図７によれば、本発明に係る除菌洗浄装置１のノズル２０２が穿設されている。
【００３６】
図８は、清掃機構１０３の回転ベルト１０３２がキャタピラ１０３２´に変更された状態を示す。
【００３７】
図９は、本発明に係る除菌洗浄装置１の清掃機構１０３のキャタピラ１０３２−１の上面に人工芝構造体１０３２´−１を装着した状態を示す。
【図面の簡単な説明】
【００３８】
【図１】本発明の一実施形態に係る除菌洗浄装置の正面図である。
【図２】本発明の一実施形態に係る除菌洗浄装置の平面図である。
【図３】本発明の一実施形態に係る除菌洗浄装置の右側面図である。
【図４】本発明の一実施形態に係る除菌洗浄装置の左側面図である。
【図５】本発明の一実施形態に係る除菌洗浄装置の前扉を開放した状態の正面斜視図    である。
【図６】本発明の一実施形態に係る除菌洗浄装置の洗浄除去器具上にトラベルバッグ（被除菌洗浄対象物）を載置した状態を示す正面図である。
【図７】本発明の一実施形態に係る除菌洗浄装置のプール部を示す説明図である。
【図８】本発明の一実施形態に係る除菌洗浄装置の洗浄除去手段のキャタピラ部を示    す説明図である。
【図９】本発明の一実施形態に係る除菌洗浄装置の洗浄除去手段のキャタピラ部に人工芝を付設した状態を示す説明図である。
【符号の説明】
【００３９】
１．除菌洗浄装置
１０．除菌洗浄装置本体
１０１．除菌洗浄装置本体空間内部
１０２．除菌洗浄装置本体プール部
１０３．清掃機構
１０３１．駆動ローラー
１０３１´．駆動ローラー
１０３２.回転ベルト上部片面
１０３２´．回転ベルト下部片面
１０３３．駆動ローラーサポート部
１０３４．トラベルバッグ載置スペース横棒
１０３５．トラベルバッグ載置スペース縦棒
１０４．駆動ローラー動力源
１０４１．動力伝達ギヤ
１０４２．回転軸
１０４３.  可変式モーター
１０４４．スピードコントローラ
２０．除菌洗浄装置付属部
２０１．貯槽
【図１】
0006341576.tif 000002
【図２】
0006341576.tif 000003
【図３】
0006341576.tif 000004
【図４】
0006341576.tif 000005
【図５】
0006341576.tif 000006
【図６】
0006341576.tif 000007
【図７】
0006341576.tif 000008
【図８】
0006341576.tif 000009
【図９】
0006341576.tif 000010